(57)【要約】【課題】多用な診療態様に応じた適正な位置に的確且つ安定的に位置設定することができるテーブルを備えた新規な歯科用診療装置を提供する。【解決手段】診療台２と、移動アーム１１に水平状態を維持して支持され且つ上記診療台２の近傍位置を移動自在とされたテーブル１３とを備えた歯科用診療装置において、上記テーブル１３は、上記移動アーム１１の先端に取付けられた水平なテーブル基台１２上に、スライド機構１５を介して水平スライド可能に支持され、且つロック手段１７によってスライド範囲規制手段１６によるスライド範囲内の任意の位置でスライドロックされるようにしたことを特徴とする。【選択図】図３
2006122273.tif 000002
【特許請求の範囲】
【請求項１】
診療台と、移動アームに水平状態を維持して支持され且つ上記診療台の近傍位置を移動自在とされたテーブルとを備えた歯科用診療装置において、
上記テーブルは、上記移動アームの先端に取付けられた水平なテーブル基台上に、スライド機構を介して水平スライド可能に支持され、且つロック手段によってスライド範囲規制手段によるスライド範囲内の任意の位置でスライドロックされるようにしたことを特徴とする歯科用診療装置。
【請求項２】
請求項１に記載の歯科用診療装置において、
前記スライド範囲規制手段が、前記テーブル及びテーブル基台のいずれか一方に設けられスライド規制範囲の両端部に位置するストッパー部と、上記他方に設けられ該両ストッパー部間で相対移動が規制される規制部材とよりなることを特徴とする歯科用診療装置。
【請求項３】
請求項２に記載の歯科用診療装置において、
前記ストッパー部が、前記テーブル基台にスライド方向に平行に開設された長孔の両端孔壁からなり、一方、前記規制部材が、前記テーブル下面に固設され該長孔内にその長手方向に沿って相対移動可能に挿通された突起部材からなることを特徴とする歯科用診療装置。
【請求項４】
請求項３に記載の歯科用診療装置において、
前記ロック手段が、前記突起部材と、該突起部材の下端に係合された作動部材と、該作動部材を作動させる為の操作レバーとよりなり、上記突起部材及び作動部材の間に前記テーブル基台の長孔辺部を緊合させて前記スライドロックがなされるようにしたことを特徴とする歯科用診療装置。
【請求項５】
請求項４に記載の歯科用診療装置において、
前記突起部材と作動部材との係合が雌雄ねじ部の螺合によってなされ、この螺合部回りの前記レバーの水平回動操作によって前記緊合によるスライドロック及びその解除がなされるようにしたことを特徴とする歯科用診療装置。
【請求項６】
請求項４に記載の歯科用診療装置において、
前記突起部材と作動部材との係合が突起部材に対する作動部材の水平支軸を介した軸着によってなされると共に、前記緊合によるスライドロックがなされるよう常時作用する弾発部材がテーブルと操作レバーとの間に弾装され、上記水平支軸を支点とする上記弾発部材の弾力に抗した前記レバーの上下方向の操作によって上記スライドロックの解除がなされるようにしたことを特徴とする歯科用診療装置。
【請求項７】
請求項１又は２に記載の歯科用診療装置において、
前記ロック手段が、テーブル基台に開設された透孔より下から挿通され該テーブル基台の下部より操作可能とされるロックピンと、該ロックピンを上向き付勢するよう弾装された弾発部材と、該ロックピンの上端を受容して前記スライドロックをすべく前記スライド方向に沿ってテーブル側に隔設された複数のロック穴とよりなり、上記弾発部材の弾力に抗したロックピンの下向き操作により上記スライドロックが解除されるようにしたことを特徴とする歯科用診療装置。
【発明の詳細な説明】
【技術分野】
【０００１】
本発明は、薬品や器具を置き或いは薬品の調合等の作業を行う為のテーブルを診療台の周辺部に移動可能に備えた歯科用診療装置に関する。
【背景技術】
【０００２】
診療台上に患者を着座させ或いは仰臥させて口腔内の診断・治療を行う際、トレーテーブルやユニットテーブル等の作業用テーブルを診療態様（診療位置）に応じて術者の作業し易い位置に配置させることが望ましい。その為、歯科の診療装置では、診療台の基台や座板或いは背板に水平旋回可能な移動アームを取付け、この移動アームの先端に上記作業用テーブルを水平回動可能に支持させて診療台の周辺の適宜位置にテーブルを配置させ得るようにしたシステムが採用されている。特許文献１には、診療台背後の基台中央部に上記移動アームを取付け、テーブルを診療台の両側部に亘る広い範囲に移動可能とした例が開示されている。また、特許文献２には、座板の一端に傾動可能に連結された背板の側部に移動アームを取付け診療台上の患者の頭部に近い位置でテーブルの移動が可能とされた例が開示されている。
【０００３】
ところで、歯科の診療は口腔内の狭い範囲に限られるが、術者は診療箇所や診療態様に応じて様々な位置を取りながら診療を行う。上記特許文献に開示されたテーブルの移動機構は、このような術者の多用な動きに円滑に追随できるようにするものであるが、診療作業中の術者の細かな動きに的確に対応するにはまだ若干の不十分さがあった。特に、後者の場合、その機構上テーブルの移動範囲が狭いことから、この不十分さが指摘されることが間々あった。また、診療がより精密且つ多用になるに伴い、益々テーブルの緻密且つ多用な動きが求められるようになってきた。特許文献３には、ユニットテーブルを、アームへの取付部を有するテーブル本体と、テーブル本体に対してスライド変位可能な移動テーブル台とで構成した歯科用診療台装置が開示されている。
【特許文献１】特開２００３−３２５５９４号公報
【特許文献２】特開平７−２５０８７１号公報
【特許文献３】特公昭６２−２２６２８号公報
【発明の開示】
【発明が解決しようとする課題】
【０００４】
前記特許文献３に開示された歯科用診療台装置におけるユニットテーブルは、ハンガーに係止されているシリンジにはチューブがたれ下がっている為にユニットテーブルを患者の胸上に位置させることができない一方、治療に必要な薬品等は患者の胸上に位置している方が治療に望ましいこともあることから、薬品等を載置する移動テーブル台を、シリンジのハンガーを備えるテーブル本体に対してスライド変位可能としたものである。しかし、この移動テーブル台は、ベース位置以外の任意の位置ではスライドロックすることができない為、多用な診療態様に応じた適正な位置に安定的に位置設定することができず、また、診療作業中の術者の手や患者の手等が不意に当ると移動テーブル台がスライド移動してしまう。
【０００５】
本発明は、多用な診療態様に応じた適正な位置に的確且つ安定的に位置設定することができるテーブルを備えた新規な歯科用診療装置を提供する点にある。
【課題を解決するための手段】
【０００６】
請求項１の発明に係る歯科用診療装置は、診療台と、移動アームに水平状態を維持して支持され且つ上記診療台の近傍位置を移動自在とされたテーブルとを備えた歯科用診療装置において、上記テーブルは、上記移動アームの先端に取付けられた水平なテーブル基台上に、スライド機構を介して水平スライド可能に支持され、且つロック手段によってスライド範囲規制手段によるスライド範囲内の任意の位置でスライドロックされるようにしたことを特徴とする。
【０００７】
上記において、スライド範囲規制手段は、請求項２の発明のように、テーブル及びテーブル基台のいずれか一方に設けられスライド規制範囲の両端部に位置するストッパー部と、上記他方に設けられ該両ストッパー部間で相対移動が規制される規制部材とよりなるものとすることができる。このストッパー部は、請求項３の発明のように、前記テーブル基台にスライド方向に平行に開設された長孔の両端孔壁からなり、一方、前記規制部材が、前記テーブル下面に固設され該長孔内にその長手方向に沿って相対移動可能に挿通された突起部材からなるものとすることができる。
【０００８】
そして、請求項４の発明では、前記ロック手段が、上記突起部材と、該突起部材の下端に係合された作動部材と、該作動部材を作動させる為の操作レバーとよりなり、上記突起部材及び作動部材の間に前記テーブル基台の長孔辺部を緊合させて前記スライドロックがなされるようにしている。この場合、請求項５の発明のように、上記突起部材と作動部材との係合が雌雄ねじ部の螺合によってなされ、この螺合部回りの前記レバーの水平回動操作によって前記緊合によるスライドロック及びその解除がなされるようにすることが可能である。或いは、請求項６の発明のように、上記突起部材と作動部材との係合が突起部材に対する作動部材の水平支軸を介した軸着によってなされると共に、前記緊合によるスライドロックがなされるよう常時作用する弾発部材がテーブルと操作レバーとの間に弾装され、上記水平支軸を支点とする上記弾発部材の弾力に抗した前記レバーの上下方向の操作によって上記スライドロックの解除がなされるようにすることも可能である。
【０００９】
また、請求項７の発明は、前記ロック手段が、テーブル基台に開設された透孔より下から挿通され該テーブル基台の下部より操作可能とされるロックピンと、該ロックピンを上向き付勢するよう弾装された弾発部材と、該ロックピンの上端を受容して前記スライドロックをすべく前記スライド方向に沿ってテーブル側に隔設された複数のロック穴とよりなり、上記弾発部材の弾力に抗したロックピンの下向き操作により上記スライドロックが解除されるようにしたことを特徴とする。
【発明の効果】
【００１０】
請求項１の発明によれば、テーブルは、移動アームの先端に取付けられた水平なテーブル基台上に支持されているから、移動アームの操作により、診療作業に適した位置に簡易に位置設定される。そして、テーブル基台に対してスライド機構を介して水平スライド可能とされているから、更に精度の高い位置設定が可能となる。しかも、ロック手段によってスライド範囲規制手段によるスライド範囲内の任意の位置でスライドロックが可能とされているから、テーブルを適性位置に的確且つ安定的に位置設定することができ、術者の精神的負担が軽減される上に、不意の衝撃が加わってもテーブルの移動が阻止される。
【００１１】
また、スライド範囲規制手段を、請求項２或いは３の発明のように構成すれば、構造が簡単であり、これに要する設計或いは部品コストも小さく、全体としての製品コストの増大を抑えることができる。更に、請求項４乃至６の発明のように、上記スライド範囲規制手段を構成する部位がロック手段の一部を構成するようにすれば、テーブルとテーブル基台との係合関係を簡素化することができ、一層製品コストの増大抑制に寄与すると共にメンテナンス性も向上する。また、請求項５或いは６の発明のように、スライドロック及びその解除がレバー操作によりなされる場合は、操作が簡易であり、緻密な診療作業中でのこのようなレバー操作は、術者の精神的負担の軽減にも繋がる。
【００１２】
更に、ロック手段を請求項７の発明のように構成すれば、ロックピンの押下げ操作によってスライドロックの解除がなされ、この状態でテーブルをスライドさせ、適宜位置でロックピンの上端をロック穴に嵌入させることにより、スライドロックをしてテーブルの位置設定がなされる。このようなスライドロック及びその解除操作も上記同様極めて簡単である。また、ロック穴の適正な位置と数とを、予めシミュレーション等により算出して設定するようにすれば、テーブルの適性位置への移動と位置設定が、無駄なく円滑に行われることになる。
【発明を実施するための最良の形態】
【００１３】
以下、本発明の最良の形態について図面に基づき説明する。図１は本発明の歯科用診療装置の一例を示す正面図、図２は同歯科用診療装置の要部であってテーブルの動作の状態を示す平面図、図３（ａ）（ｂ）はテーブルの動作の状態を示す下面図、図４は図３（ｂ）におけるＸ−Ｘ線の部分切欠断面図であり、（ａ）はロック状態を、（ｂ）はアンロック状態を示す。図５（ａ）（ｂ）は他の実施例の図４と同様図、図６（ａ）（ｂ）は更に他の実施例の図４と同様図であり、（ｃ）は（ａ）におけるＹ−Ｙ線断面図である。
【実施例１】
【００１４】
図１及び図２において、１は歯科診療台２を支持する基台であり、該基台１内には診療台２を上下昇降させる為の油圧等による昇降機構１ａが内蔵されており、診療台２は実質的にこの昇降機構１ａにより支持されている。診療台２は、昇降機構１ａに支持された座席シート（座板）３と、該座席シート３の一端に起伏自在に連結された背板シート（背板）４と、該背板シート４の他端に傾動自在に取付けられたヘッドレスト５とよりなる。上記昇降機構１ａ及び背板シート４を起伏させるための機構（不図示）等は、床面に配置されるフートコントローラ６の足踏み操作によりその駆動制御がなされる。背板シート４の肩部には、歯科治療用の各種ハンドピース、バキュームシリンジなどの各種インスツルメント７が、繰出し自在に保持されている。
【００１５】
また、上記診療台２の側部にはうがい用スピットン８が設置され、このスピットン８の基台８ａにはデンタルライト用支柱９ａが立設され、この支柱９ａには水平旋回且つ屈折可能なハンガーアーム９ｂを介してデンタルライト９が取付けられている。スピットン８は、歯科治療中患者が口腔内を清浄化するためのもので、給水栓８ｂ、うがい液を排出するためのベースン８ｃ等から構成される。デンタルライト９は、診療台２上に着座し、或いは仰臥した患者の口腔内を照射するものであり、水平旋回且つ上下・左右屈折可能な多関節のハンガーアーム９ｂの先端に首振り可能に取付けられており、術者の手動操作或いは電動操作によって、適正位置に位置決めされ口腔内に照射される。
【００１６】
背板シート４の側部には、診療台２に内蔵された平行リンク機構１０の揺動側に固設された取付けブラケット１０ａが水平に突出している。この取付けブラケット１０ａの先端には垂直支軸１１ａを介し、該垂直支軸１１ａの周りに水平旋回可能に旋回アーム（移動アーム）１１が取付けられ、更に、この旋回アーム１１の先端には垂直支軸１１ｂを介し、該垂直支軸１１ｂの周りに水平回動可能に水平板状テーブル基台１２が取付けられている。そして、このテーブル基台１２の上には後記するスライド機構を介しトレーテーブル１３が水平スライド可能に支持されている。この時、テーブルのスライド方向は歯科用診療装置の背板シートの長手方向に沿って移動することが好ましい。
【００１７】
トレーテーブル１３には、その表面に薬品や治療器具等を置く為の凹み部等が形成され、また、必要によって各種インスツルメント７を背板シート４の肩部から繰出し一時的に係止するための係止部が設けられる。このトレーテーブル１３の一側部には、コンピュータモニタ装置の一部を構成するモニタディスプレイ装置１４が設置され（図２ではその図示を省略）、前記口腔内の映像やＸ線撮影写真等の映像等が適宜映し出されるようになされている。コンピュータモニタ装置を構成するコンピュータ本体は、図示は省略するが、診療台２周辺の適宜位置に設置され、マウス操作による制御信号を受信し、この受信信号に基づく映像信号をモニタディスプレイ装置１４に送信してディスプレイ上に再生する。尚、モニタディスプレイ装置１４の設置場所は、トレーテーブル１３の一側部に限らず、例えば、スピットン８の基台８ａやデンタルライト用支柱９ａ等、術者及び患者が同時に見ることができる位置であればよい。
【００１８】
前記取付けブラケット１０ａは、診療台２に内蔵された平行リンク機構１０の揺動側に水平に固設され、旋回アーム１１を介し水平に支持されたトレーテーブル１３は、背板シート４の起伏動作によって上下動するが、常に水平状態に維持される。即ち、背板シート４は座席シート３に内蔵された油圧シリンダ等の駆動手段（不図示）によって連結軸（不図示）を支点として傾動自在とされている。そして、この連結軸をピンとして含む固定側のリンク（片）と、これに平行な揺動側のリンク（片）１０ｂと、両リンクを繋ぐ平行な２本のリンク１０ｃとによりに上記平行リンク機構１０が構成され、背板シート４の傾動動作時においても、平行リンク機構１０の機能により、揺動側のリンク１０ｂと固定側のリンクとの平行関係が常に維持される。従って、この揺動側のリンク１０ｂに、取付けブラケット１０ａ及び旋回アーム１１を介し支持されたトレーテーブル１３は、常に水平状態が維持される（図１の実線及び２点鎖線で示す状態を参照）。尚、本発明の歯科用診療台における上記平行リンク機構１０としては、例えば、実公昭６２−３５４６９号公報に開示されたものが望ましく採用される。
【００１９】
図２は、トレーテーブル１３が診療態様に応じて適宜位置設定された状態を示し、実線位置は術者がヘッドレスト５の上方の所謂１２時の位置で診療を行う場合、２点鎖線位置は同９時乃至１０時の位置で診療を行う場合であって、夫々の１点鎖線で示す位置は、上記各位置でトレーテーブル１３をテーブル基台１２に対してスライドさせた状態を示している。上記のような各位置へのトレーテーブル１３の位置設定は、旋回アーム１１を垂直支軸１１ａの軸心周りに旋回させ或いは後記するスライド機構を介してトレーテーブル１３をテーブル基台１２に対してスライドさせ、更に、その向きの調整はトレーテーブル１３をテーブル基台１２と共に垂直支軸１１ｂの周りに旋回させることによってなされる。
【００２０】
次に、上記トレーテーブル１３をテーブル基台１２に対してスライド可能とする機構、スライド範囲を規制する手段及びスライドロック及びこれを解除する機構の一例を説明する。図３及び図４において、テーブル基台１２の上面には、２本の平行なレール部材１５ａ、１５ａが、一方トレーテーブル１３の下面にはこのレール部材１５ａ、１５ａに夫々対合する２本のスライド部材１５ｂ、１５ｂが、夫々固設され、また、両部材１５ａ、１５ｂ間の対合部にはその長手方向に沿って配列する複数の転動ボール１５ｃ…が把持され、これらによりトレーテーブル１３のテーブル基台１２に対するスライド機構１５が構成される。この両部材１５ａ、１５ｂ間での複数の転動ボール１５ｃ…の把持により、両部材１５ａ、１５ｂの相対摺動が可能とされる共に、両者の上下のガタ付きが防止される。従って、トレーテーブル１３は、テーブル基台１２上でこのスライド機構１５をしてその長手方向に沿った円滑な往復スライドが可能とされる。
【００２１】
テーブル基台１２には、スライド機構１５によるスライド方向に平行な長孔１６ａが開設され、トレーテーブル１３の下面にはこの長孔１６ａに相対移動可能に挿通される突起部材（規制部材）１６ｂが固設され、この突起部材１６ｂと長孔１６ａの長手方向両端の孔壁部１６ｃとにより、スライド範囲規制手段１６が構成される。即ち、突起部材１６ｂは、長孔１６ａ内を相対移動可能とされているが、長孔１６ａの両端の孔壁部１６ｃに当接するとそれ以上の相対移動が不可とされ、従って、トレーテーブル１３はこの長孔１６ａの長さ範囲を規制範囲としてスライド可能とされる。
【００２２】
上記突起部材１６ｂの長孔１６ａより下側に突出する部分は雄ねじ部１７ａとされ、この雄ねじ部１７ａ（突起部材１６ｂ）と、これに螺合する雌ねじ部材（作動部材）１７ｂと、該雌ねじ部材１７ｂに一体連設された操作レバー１７ｃとによりロック手段１７が構成される。図４（ａ）は、雄ねじ部１７ａと雌ねじ部材１７ｂとが螺合締結され、テーブル基台１２における長孔１６ａの辺部が突起部材１６ｂと雌ねじ部材１７ｂとの間に挟まれるよう緊合され、トレーテーブル１３のスライドが阻止された状態（スライドロック状態）であることを示す。そして、操作レバー１７ｃを上記螺合部の軸心周りに回動操作して雌ねじ部材１７ｂを緩めると、図４（ｂ）に示すように突起部材１６ｂと雌ねじ部材１７ｂとによる長孔１６ａの辺部の緊合が解除され、トレーテーブル１３のスライドが可能な状態となる。
【００２３】
図３（ａ）（ｂ）は、トレーテーブル１３をスライド移動させる動作の状態を示し、図３（ａ）における実線位置の操作レバー１７ｃは図４（ａ）に相当するロック状態にあることを示し、この状態から操作レバー１７ｃを２点鎖線の位置に回動操作させると図４（ｂ）に相当する上記緊合が解除された状態となり、トレーテーブル１３のスライドが可能となる。この状態から、トレーテーブル１３を手操作して左にスライド操作すれば、スライド部材１５ｂのレール部材１５ａに沿った摺動により、トレーテーブル１３を図３（ｂ）に示す所望の位置にスライド移動させることができる。この位置で操作レバー１７ｃを２点鎖線位置から実線位置に回動操作させると、上記緊合がなされ、トレーテーブル１３が再びスライドロックされる。このようなスライド操作は、操作レバー１７ｃの回動操作と、トレーテーブル１３の押引操作とによってなされるから極めて簡易であり、しかもトレーテーブル１３は所望の位置に的確に位置設定されるから、診療作業の効率化が図られ、術者の精神的負担も軽減される。尚、１７ｄは、操作レバー１７ｃの緩める方向への過回動を防止する為のストッパーである。
【実施例２】
【００２４】
図５は、ロック手段１７の別の例を示すものである。スライド機構１５及びスライド範囲規制手段１６は上記と同様であるので、ここでは共通部分に同一の符号を付しその説明を割愛する。突起部材１６ｂの長孔１６ａより突出する部分には水平支軸１７ｅを介し作動ブロック体（作動部材）１７ｆが軸着され、この作動ブロック体１７ｆには操作レバー１７ｇが一体連設されている。トレーテーブル１３の下面と操作レバー１７ｇとの間には、長孔１６ａに挿通された板ばね（弾発部材）１７ｈが屈曲状態で弾装され、この板ばね１７ｈの復元弾力によって操作レバー１７ｇが常時下向きに付勢された状態とされる。上記水平支軸１７ｅ（突起部材１６ｂ）、作動ブロック体１７ｆ、操作レバー１７ｇ及び板ばね１７ｈによりロック手段１７が構成される。
【００２５】
図５（ａ）はロック状態を示し、板ばね１７ｈの復元弾力による操作レバー１７ｇの下向き付勢に伴い、作動ブロック体１７ｆが常時水平支軸１７ｅを支点として上向きに付勢され、これによりテーブル基台１２における長孔１６ａの辺部が突起部材１６ｂと作動ブロック体１７ｆとの間に挟まれるよう緊合され、トレーテーブル１３のスライドが阻止された状態（スライドロック状態）とされる。そして、操作レバー１７ｇを板ばね１７ｈの弾力に抗し水平支軸１７ｅを支点として上向きに操作すると、図５（ｂ）に示すように突起部材１６ｂと作動ブロック体１７ｆとによる長孔１６ａの辺部の緊合が解除され、トレーテーブル１３のスライドが可能となる。この状態でトレーテーブル１３を所望位置にスライド移動させた後、操作レバー１７ｇの上向き操作を止めると、板ばね１７ｈの復元弾力により作動ブロック体１７ｆが再び上向き付勢され、上記緊合によるスライドロック状態に復帰する。このような操作は上記と同様極めて簡易であり、しかも、トレーテーブル１３は所望の位置に的確に位置設定されるから、診療作業の効率化が図られ、術者の精神的負担も軽減される。また、板ばね以外にも弾発部材として、圧縮コイルばねや皿ばね座金を用いても良い。
【実施例３】
【００２６】
図６は、スライド範囲規制手段１６及びロック手段１７の別の例を示すものである。スライド機構１５は上記と同様であるので、ここでは共通部分に同一の符号を付しその説明を割愛する。テーブル基台１２及び一方のレール部材１５ａには、両者を共役して１個の透孔１７ｉが開設されている。この透孔１７ｉには下からロックピン１７ｊが挿通され、該ロックピン１７ｊはテーブル基台１２の下部より操作可能とされている。このロックピン１７ｊには、圧縮ばね（弾発部材）１７ｋが、その先側部分とレール部材１５ａとの間に弾装されるよう套嵌され、ロックピン１７ｊはこの圧縮ばね１７ｋの復元弾力により常時上向き付勢されている。そして、対応するスライド部材１５ｂにはその長手方向に沿って複数のロック穴１７ｍ…が隔設され、該ロック穴１７ｍ…はロックピン１７ｊの上端を受容し得る形状に形成されている。透孔１７ｉ、ロックピン１７ｊ、圧縮ばね１７ｋ及びロック穴１７ｍ…によりロック手段１７が構成される。
【００２７】
図６（ａ）（ｃ）はロック状態を示し、ロックピン１７ｊの上端がロック穴１７ｍのいずれかに嵌り込み、圧縮ばね１７ｋの復元弾力に伴う上向き付勢作用により、この嵌り込み状態が維持されている。即ち、ロックピン１７ｊとロック穴１７ｍとの規制作用により、スライド部材１５ｂとレール部材１５ａとの相互摺動が阻止され、トレーテーブル１３がスライドロックされている。この状態から、図６（ｂ）に示すように、ロックピン１７ｊを圧縮ばね１７ｋの復元弾力に抗して下向きに操作すると、ロックピン１７ｊの上端がロック穴１７ｍから抜け出し、両者の規制作用が解除され、トレーテーブル１３がスライド可能な状態となる。ロックピン１７ｊを下向きに操作した状態で、トレーテーブル１３を手操作により所望位置までスライドさせ、ロックピン１７ｊの下向き操作を止めるとその上端が対応位置のロック穴１７ｍに嵌り込み、上記同様スライドロック状態に維持される。
【００２８】
スライド部材１５ｂの長手方向両端部には、ストッパー（ストッパー部）１６ｄ、１６ｄが形成され、ロックピン１７ｊの上半部（レール１７ａの上側に臨む部分）が規制部材１６ｅを兼ね、このストッパー１６ｄ、１６ｄと規制部材１６ｅとにより、スライド範囲規制手段１６が構成される。即ち、図６（ｂ）の状態では、スライド部材１５ｂとレール部材１５ａとの相互摺動が可能とされるが、規制部材１６ｅがいずれかのストッパー１６ｄに当接するとそれ以上の摺動が阻止され、トレーテーブル１３は、実質的に両ストッパー１６ｄ、１６ｄ間でそのスライドが可能とされる。このようなトレーテーブル１３のスライド操作は、ロックピン１７ｊの下向き操作とトレーテーブル１３の押引操作によりなされるから極めて簡易であり、しかも、トレーテーブル１３は所望の位置に的確に位置設定されるから、診療作業の効率化が図られ、術者の精神的負担も軽減される。
【００２９】
本実施例では、スライド範囲規制手段１６及びロック手段１７を、スライド機構１５における一方のレール部材１５ａ及びスライド部材１５ｂが対合する部位に形成したが、これに限らず、トレーテーブル１３とテーブル基台１２との間のスライド機構１５に直接拘わらない相互スライド部位に設けることも可能であることは言うまでもない。しかし、本実施例のように構成すれば、レール部材１５ａ及びスライド部材１５ｂの加工時に、スライド範囲規制手段１６及びロック手段１７を形成することができ、その加工工数や加工コストの増大を抑えることができる。
【００３０】
尚、上記実施例では、テーブルがトレーテーブル１３である例について述べたが、ユニットテーブルであってもよいことは言うまでもない。また、トレーテーブル１３が背板シート４の側部に旋回アーム１１を介して移動可能に支持された例を示したが、診療台２の基台１、座席シート３の機枠更には診療台２の周辺近傍位置の床面等に適宜移動アームを介して支持されるものも除外されるものではない。更に、スライド機構を直線形状のものではなく、曲線（円弧）形状のものを用いることにより、テーブルの移動を曲線（円弧）的にスライドさせても構わない。
【図面の簡単な説明】
【００３１】
【図１】本発明の歯科用診療装置の一例を示す正面図である。
【図２】同歯科用診療装置の要部であってテーブルの動作の状態を示す平面図である。
【図３】（ａ）（ｂ）はテーブルの動作の状態を示す下面図である。
【図４】図３（ｂ）におけるＸ−Ｘ線の部分切欠断面図であり、（ａ）はロック状態を、（ｂ）はアンロック状態を示す。
【図５】（ａ）（ｂ）は他の実施例の図４と同様図である。
【図６】（ａ）（ｂ）は更に他の実施例の図４と同様図であり、（ｃ）は（ａ）におけるＹ−Ｙ線断面図である。
【符号の説明】
【００３２】
２      診療台
１１    旋回アーム（移動アーム）
１２    テーブル基台
１３    トレーテーブル（テーブル）
１５    スライド機構
１６    スライド範囲規制手段
１６ａ  長孔
１６ｂ  突起部材（規制部材）
１６ｃ  孔壁（ストッパー部）
１６ｄ  ストッパー（ストッパー部）
１６ｅ  ロックピン上半部（規制部材）
１７    ロック手段
１７ａ  雄ねじ部
１７ｂ  雌ねじ部材（作動部材）
１７ｃ  操作レバー
１７ｅ  水平支軸
１７ｆ  作動ブロック体（作動部材）
１７ｇ  操作レバー
１７ｈ  板ばね（弾発部材）
１７ｉ  透孔
１７ｊ  ロックピン
１７ｋ  圧縮ばね（弾発部材）
１７ｍ  ロック穴
【図１】
2006122273.tif 000003
【図２】
2006122273.tif 000004
【図３】
2006122273.tif 000005
【図４】
2006122273.tif 000006
【図５】
2006122273.tif 000007
【図６】
2006122273.tif 000008